(57)【特許請求の範囲】
【請求項１】
本体と、前記本体内に液体を収納する容器と、前記容器の底部に設けた前記液体を加熱する加熱手段と、前記液体を前記本体外へ導出するポンプを備えた導出手段と、前記加熱手段と前記導出手段を制御する前記容器の下方に備えた制御手段とを備え、前記ポンプはモータと、前記モータの回転軸に固定された駆動磁石と、ポンプケースの隔壁部を介して前記駆動磁石と対向させその磁気結合によって回転する磁石式インペラとを備え、前記磁石式インペラを収納する前記ポンプケースと前記モータを収納するモータケースの重なる部分には周囲に本体内の外気と連通する複数の開口部を設け、前記複数の開口部の一部は少なくとも前記本体の底面に向けて開口され、前記駆動磁石には前記ポンプを囲む周囲の気体を撹拌する撹拌羽根を備えた電気湯沸かし器。
【請求項２】
本体の底面は室内空気と本体内の空気との熱交換が増加するように表面積が大きくなるような形状とした請求項１記載の電気湯沸かし器。
【発明の詳細な説明】
【０００１】
【発明の属する技術分野】
本発明は、収容液体を加熱、保温し、本体外に導出させる電気湯沸かし器に関する。
【０００２】
【従来の技術】
従来の電気湯沸かし器の概略構造の一例を図６に示す。図に示すように底面が閉塞された本体１と、本体１内に配設された上面が開口した開口部を有した容器２と、容器２の開口部を覆う蓋体３とで構成され、容器２内の液体を加熱する加熱手段４が容器２の底部に配設されている。また容器２内の液体を本体１外に導出する手段である電動式のポンプ５が、容器２の底部から本体外への注ぎ口７へ導出する水管６の最下部内に設けられ、モータ９の駆動により液体は水管６を通過して本体１外に導出される。なお操作部分（図示せず）の操作により制御部８はポンプ５や加熱手段４の入り切りなどがおこなわれる。
【０００３】
【発明が解決しようとする課題】
このような従来の構成では加熱手段４、制御部８、ポンプ５等の電気的な機能部分が容器２の下方と本体１の底面との間に形成される比較的狭い空間部内に設けられ、また湯沸かし器は外部から水が入らないように水密な構造になっている。そのため前記した電気的な機能部分特に制御部８の温度は決められた温度範囲に対して余裕が少なかった。
【０００４】
本発明はこのような課題を解決するもので従来と変わらない空間内で簡単な部品の変更で内部の温度上昇を抑えることのできる電気湯沸かし器を提供することを目的とするものである。
【０００５】
【課題を解決するための手段】
上記の課題を解決するために、本発明は、本体と、前記本体内に液体を収納する容器と、前記容器の底部に設けた前記液体を加熱する加熱手段と、前記液体を前記本体外へ導出するポンプを備えた導出手段と、前記加熱手段と前記導出手段を制御する前記容器の下方に備えた制御手段とを備え、前記ポンプはモータと、前記モータの回転軸に固定された駆動磁石と、ポンプケースの隔壁部を介して前記駆動磁石と対向させその磁気結合によって回転する磁石式インペラとを備え、前記磁石式インペラを収納する前記ポンプケースと前記モータを収納するモータケースの重なる部分には周囲に本体内の外気と連通する複数の開口部を設け、前記複数の開口部の一部は少なくとも前記本体の底面に向けて開口され、前記駆動磁石には前記ポンプを囲む周囲の気体を撹拌する撹拌羽根を備えたものである。
【０００６】
これによりポンプの回転時には撹拌羽根により内部の空気が撹拌されるため内部の温度が均一となり、特に上部に取り付けられた制御部などの温度の上昇が抑えられる。
【０００７】
【発明の実施の形態】
本発明の請求項１記載の発明は、本体と、前記本体内に液体を収納する容器と、前記容器の底部に設けた前記液体を加熱する加熱手段と、前記液体を前記本体外へ導出するポンプを備えた導出手段と、前記加熱手段と前記導出手段を制御する前記容器の下方に備えた制御手段とを備え、前記ポンプはモータと、前記モータの回転軸に固定された駆動磁石と、ポンプケースの隔壁部を介して前記駆動磁石と対向させその磁気結合によって回転する磁石式インペラとを備え、前記磁石式インペラを収納する前記ポンプケースと前記モータを収納するモータケースの重なる部分には周囲に本体内の外気と連通する複数の開口部を設け、前記複数の開口部の一部は少なくとも前記本体の底面に向けて開口され、前記駆動磁石には前記ポンプを囲む周囲の気体を撹拌する撹拌羽根を備えたものである。
【０００８】
これによりポンプの回転時には撹拌羽根により内部の空気が撹拌されるため内部の温度が均一となり、特に上部に取り付けられた制御部などの温度の上昇が抑えられる。
【０００９】
また、これによって、撹拌羽根により撹拌された風が直接強制的に温度の低い底板に接触するためより一層効率よく熱交換されてより一層温度上昇が抑制される。
【００１０】
本発明の請求項２記載の発明は、請求項１の構成において、本体の底面は外気と本体内の空気との熱交換が増加するように表面積が大きくなるような形状としたものである。
【００１１】
これによって、本体の金属の底面は表面積が一層大きくなり外気により冷却効果も大きくなるのでより一層熱交換が促進されて一層温度上昇が抑制される。
【００１２】
【実施例】
以下、本発明の実施例について、図１〜図５を参照しながら説明する。
【００１３】
（実施例１）
本発明の実施例１について説明する。図１は実施例１の電気湯沸かし器の要部断面を含む外観側面図、図２は本実施例のポンプの断面図である。図３は撹拌羽根の上面を示す図である。図に示すように本体１０１と、本体１０１内に配設された上面開口の容器１０２と、容器１０２の開口部を覆う蓋体１０３とで構成され、容器１０２内の液体を加熱する加熱手段１０４が容器１０２の底部に配設されている。また容器１０２内の液体を本体１０１外に導出する導出手段である電動式のポンプ１０５が、容器１０２の底部から本体１０１外への注ぎ口１０７へ導出する水管１０６の最下部内に設けられ、ポンプ１０５内のモータ１１１の駆動により液体は水管１０６を通過して本体外に導出される。なお操作部分（図示せず）の操作により制御部１０８はポンプ１０５や加熱手段１０４などの入り切りをおこなう。
【００１４】
モータ１１１の回転軸１１２にはフェライト粉等を混入した樹脂マグネット製の駆動磁石１１３が圧入により装着固定されている。ポンプケース１１４の隔壁部１１５を介して駆動磁石１１３と対向させその磁気結合によって回転する磁石式インペラ１１６とで構成されたポンプ１０５において、磁石式インペラ１１６を収納するポンプケース１１４は吸入口側ケーシング１１８と、ポンプケース１１４とモータ１１１を結合するためのモータケース１１９とにより構成している。本実施例では駆動磁石１１３には容器１０２の下方の空気を撹拌させるための撹拌羽根１２０が図３（ａ）に示すように一体に成形されて設けられている。なお図３（ｂ）に示すようにプレスされた撹拌羽根を駆動磁石１１３に磁気結合させてもよい。そしてモータケース１１９とポンプケース１１４の重なる部分には複数の開口部１２１が円周面に設けられている。
【００１５】
操作部の操作によりポンプ１０５が回転をすると駆動磁石１１３も回転するとともに撹拌羽根１２０も同時に回転する。そして撹拌された本体１０１内の空気はモータケース１１９とポンプケース１１４の重なる部分に設けた複数の開口部１２１から排出され内部で撹拌されるため内部の温度は均一化され上下の温度差がなくなる。特に上部の温度は低下する。
【００１６】
（実施例２）
図４は本発明の実施例２を説明する電気湯沸かし器の要部断面を含む外観側面図である。実施例１で説明した符号と同じ符号は同じ構成要素であるので説明を省略する。異なるところは本体１０１の底面１０９は金属板からなる構成としている。電気湯沸かし器の載置面と底面１０９との間は隙間を設けているので底面１０９は直接外の空気と接触して低温度に保たれているので撹拌羽根１２０により撹拌された空気は底面１０９に接触して温度降下が促進される。
【００１７】
（実施例３）
図５は本発明の実施例３を説明する電気湯沸かし器の要部断面を含む外観側面図である。図４の実施例２と異なるところは底面１０９に多数の凹凸を設けて表面積を増大させた点である。底面１０９の表面積を増大させているので、外の空気とより熱交換し易くなるためより温度の低下が促進される。
【００１８】
【発明の効果】
本発明によれば、ポンプを作動させることにより本体内の温度が均一化され特に温度の高い部分の温度の低下に効果的である。
【図面の簡単な説明】
【図１】本発明の実施例１を示す電気湯沸かし器の要部断面を含む外観側面図
【図２】同ポンプの断面図
【図３】（ａ）同駆動磁石と一体成形の撹拌羽根の上面図
（ｂ）同駆動磁石と磁気結合する別部品の撹拌羽根の上面図
【図４】本発明の実施例２を示す電気湯沸かし器の要部断面を含む外観側面図
【図５】本発明の実施例３を示す電気湯沸かし器の要部断面を含む外観側面図
【図６】従来例を示す電気湯沸かし器の要部断面を含む外観側面図
【符号の説明】
１０１  本体
１０２  容器
１０３  蓋体
１０４  加熱手段
１０５  ポンプ（導出手段）
１０８  制御部（制御手段）
１０９  底面
１１１  モータ
１１３  駆動磁石
１１４  ポンプケース
１１６  磁石式インぺラ
１１９  モータケース
１２０  撹拌羽根
１２１  開口部
【図１】
0003575450.tif 000002
【図２】
0003575450.tif 000003
【図３】
0003575450.tif 000004
【図４】
0003575450.tif 000005
【図５】
0003575450.tif 000006
【図６】
0003575450.tif 000007